(57)【要約】【課題】  ２つのリン本体を組み合わせたリン具であって、２つの相違する音高の音を発するだけでなく、２つのリン本体による間隙を調整し、叩打する位置を変更することにより、木魚様の音を発するリン具を得る。【解決手段】  開口部と基部とを備えた椀形状のリン本体が叩打部材により打ち鳴らされるリン具において、第１のリン本体と、第２のリン本体と、これら第１のリン本体と第２のリン本体との開口部同士を対向させて各リン本体の基部同士を連結する連結手段とを備え、第１のリン本体と第２のリン本体との開口部の間隙が、第１のリン本体又は第２のリン本体の基部を叩打した際に木魚様の音を発する距離に保持されているもの。【選択図】      図４
0003132463.tif 000002
【実用新案登録請求の範囲】
【請求項１】
開口部と基部とを備えた椀形状のリン本体が叩打部材により打ち鳴らされるリン具において、
第１のリン本体と、第２のリン本体と、これら第１のリン本体と第２のリン本体との開口部同士を対向させて各リン本体の基部同士を連結する連結手段とを備え、
前記第１のリン本体と第２のリン本体との開口部の間隙が、第１のリン本体又は第２のリン本体の基部を叩打した際に木魚様の音を発する距離に保持されていることを特徴とするリン具。
【請求項２】
開口部と基部とを備えた椀形状のリン本体が叩打部材により打ち鳴らされるリン具において、
相違する音高の第１のリン本体と第２のリン本体と、これら第１のリン本体と第２のリン本体との開口部同士を対向させて各リン本体の基部同士を連結する連結手段とを備え、
該連結手段には、第１のリン本体と第２のリン本体との相対位置を変更する連結距離変更手段を備えたことを特徴とするリン具。
【請求項３】
開口部と基部とを備えた椀形状のリン本体が叩打部材により打ち鳴らされるリン具において、
相違する大きさであって相違する音高の第１のリン本体と第２のリン本体と、これら第１のリン本体と第２のリン本体との開口部同士を対向させて各リン本体の基部同士を連結する連結手段とを備え、
該連結手段には、第１のリン本体と第２のリン本体との相対位置を変更する連結距離変更手段を備えたことを特徴とするリン具。
【請求項４】
開口部と基部とを備えた椀形状のリン本体が叩打部材により打ち鳴らされるリン具において、
相違する音高の第１のリン本体と第２のリン本体と、これら第１のリン本体と第２のリン本体との開口部同士を対向させて各リン本体の基部同士を連結する連結手段とを備え、
該連結手段には、第１のリン本体と第２のリン本体との相対位置を変更する連結距離変更手段を備え、
前記連結距離変更手段が、第１のリン本体と第２のリン本体との間隙を予め求められたスリット間隙に保持する間隙保持手段を備えたことを特徴とするリン具。
【請求項５】
開口部と基部とを備えた椀形状のリン本体が叩打部材により打ち鳴らされるリン具において、
相違する音高の第１のリン本体と第２のリン本体と、これら第１のリン本体と第２のリン本体との開口部同士を対向させて各リン本体の基部同士を連結する連結手段とを備え、
該連結手段には、第１のリン本体と第２のリン本体との相対位置を変更する連結距離変更手段を備え、
前記連結距離変更手段が、第１のリン本体と第２のリン本体との間隙を予め求められたスリット間隙に保持する間隙保持手段を備え、
第１のリン本体と第２のリン本体との何れか又は両方の木魚様の音を発する叩打位置に印を付したことを特徴とするリン具。
【考案の詳細な説明】
【技術分野】
【０００１】
本考案は相違する音高の第１のリン本体と第２のリン本体とを備えたリン具に関するものであり、特に第１のリン本体と第２のリン本体との相対位置を変更する連結距離変更手段を備えたリン具に関する。
【背景技術】
【０００２】
相違する音高の第１のリン本体と第２のリン本体とを備え、一方のリン本体を叩打することで他方のリン本体が固有振動を始める共鳴音や、二つの音波が重なり合ったときに干渉の結果、音波の振幅が周期的に増減し、音が強くなったり弱くなったりして聴こえる唸り音が生成されるリン具は既に提案されている（例えば、特許文献１参照）。しかしながら、先の提案は、共鳴音や唸り音の発生のみであった。
【０００３】
一方、仏具の一種である木魚は、読経をするときに打ち鳴らすことで、リズムを整える。この木魚は、クスノキなどの硬い材質の木を材料としてつくられ、内部は空洞になっている。開口部である「響孔」にあたる部分から刃を入れ、内部に空洞を形成して作られている。この木魚は、楽器としてみると、一種のスリットドラムである。すなわち、中空の木片の一部にスリットを入れた楽器と考えられる。
【０００４】
【特許文献１】特開２００３−３１９８６９
【考案の開示】
【考案が解決しようとする課題】
【０００５】
本考案は、２つのリン本体を組み合わせたリン具であって、２つの相違する音高の音を発するだけでなく、２つのリン本体による間隙を調整し、叩打する位置を変更することにより、木魚様の音を発するリン具を得ることを目的とする。
【課題を解決するための手段】
【０００６】
請求項１に記載された考案に係るリン具は、開口部と基部とを備えた椀形状のリン本体が叩打部材により打ち鳴らされるリン具において、
第１のリン本体と、第２のリン本体と、これら第１のリン本体と第２のリン本体との開口部同士を対向させて各リン本体の基部同士を連結する連結手段とを備え、
前記第１のリン本体と第２のリン本体との開口部の間隙が、第１のリン本体又は第２のリン本体の基部を叩打した際に木魚様の音を発する距離に保持されていることを特徴とするものである。
【０００７】
請求項２に記載された考案に係るリン具は、開口部と基部とを備えた椀形状のリン本体が叩打部材により打ち鳴らされるリン具において、
相違する音高の第１のリン本体と第２のリン本体と、これら第１のリン本体と第２のリン本体との開口部同士を対向させて各リン本体の基部同士を連結する連結手段とを備え、
該連結手段には、第１のリン本体と第２のリン本体との相対位置を変更する連結距離変更手段を備えたことを特徴とするものである。
【０００８】
請求項３に記載された考案に係るリン具は、開口部と基部とを備えた椀形状のリン本体が叩打部材により打ち鳴らされるリン具において、
相違する大きさであって相違する音高の第１のリン本体と第２のリン本体と、これら第１のリン本体と第２のリン本体との開口部同士を対向させて各リン本体の基部同士を連結する連結手段とを備え、
該連結手段には、第１のリン本体と第２のリン本体との相対位置を変更する連結距離変更手段を備えたことを特徴とするものである。
【０００９】
請求項４に記載された考案に係るリン具は、開口部と基部とを備えた椀形状のリン本体が叩打部材により打ち鳴らされるリン具において、
相違する音高の第１のリン本体と第２のリン本体と、これら第１のリン本体と第２のリン本体との開口部同士を対向させて各リン本体の基部同士を連結する連結手段とを備え、
該連結手段には、第１のリン本体と第２のリン本体との相対位置を変更する連結距離変更手段を備え、
前記連結距離変更手段が、第１のリン本体と第２のリン本体との間隙を予め求められたスリット間隙に保持する間隙保持手段を備えたことを特徴とするものである。
【００１０】
請求項５に記載された考案に係るリン具は、開口部と基部とを備えた椀形状のリン本体が叩打部材により打ち鳴らされるリン具において、
相違する音高の第１のリン本体と第２のリン本体と、これら第１のリン本体と第２のリン本体との開口部同士を対向させて各リン本体の基部同士を連結する連結手段とを備え、
該連結手段には、第１のリン本体と第２のリン本体との相対位置を変更する連結距離変更手段を備え、
前記連結距離変更手段が、第１のリン本体と第２のリン本体との間隙を予め求められたスリット間隙に保持する間隙保持手段を備え、
第１のリン本体と第２のリン本体との何れか又は両方の木魚様の音を発する叩打位置に印を付したことを特徴とするものである。
【考案の効果】
【００１１】
本考案は、２つのリン本体によって音を発するだけでなく、２つのリン本体による間隙を調整し、叩打する位置を変更することにより、木魚様の音を発することができるという効果がある。
【考案を実施するための最良の形態】
【００１２】
本考案においては、開口部と基部とを備えた椀形状のリン本体が叩打部材により打ち鳴らされるリン具において、第１のリン本体と、第２のリン本体と、これら第１のリン本体と第２のリン本体との開口部同士を対向させて各リン本体の基部同士を連結する連結手段とを備え、第１のリン本体と第２のリン本体との開口部の間隙が、第１のリン本体又は第２のリン本体の基部を叩打した際に木魚様の音を発する距離に保持される。これにより、連結手段近傍を叩打することにより、木魚様（スリットドラム様）の音を発することができる。
【００１３】
より具体的な構成としては、本考案においては、開口部と基部とを備えた椀形状のリン本体が叩打部材により打ち鳴らされるリン具において、相違する音高の第１のリン本体と第２のリン本体と、これら第１のリン本体と第２のリン本体との開口部同士を対向させて各リン本体の基部同士を連結する連結手段とを備え、該連結手段には、第１のリン本体と第２のリン本体との相対位置を変更する連結距離変更手段を備える。これにより、２つのリン本体を組み合わせたリン具であって、２つの相違する音高の音を発するだけでなく、連結距離変更手段によって第１のリン本体と第２のリン本体との間隙を調節することにより、連結手段近傍を叩打することにより、木魚様（スリットドラム様）の音を発することができる。
【００１４】
仏具である木魚は硬い外壁を叩打した際の衝撃により、その衝撃音が内部で反響し、反響された音がスリットから抜ける際に「ポク」という音となって大きく響くものと考えられる。本考案における２つのリン本体同士の間隙を、一方のリン本体を叩打した際の衝撃音が反響してその間隙から抜ける際に「ポク」という音となって大きく響く距離に連結距離変更手段によって調整することにより、木魚様（スリットドラム様）の音を発することができる。
【００１５】
本考案のリン本体としては、２つのリン本体の開口部同士を対向させて配するものであればよい。好ましくは２つのリン本体は音高の相違する音を発するものであればよい。２つのリン本体は、開口部同士を対向させて各リン本体の基部同士を連結手段で連結されればよい。より好ましくは相違させた音高としては、互いの音高の周波数が完全５度の協和音程及び完全４度の協和音程の関係にあれば、協和して奏でる和音が完全に融け合い、更に奥行きのある美しい和音になる特徴となる。尚、３／２，４／３，５／４等の単純な周波数の比で音律を作り出した十二音律を純正律に沿って定めて、個々に定まった周波数のおリンを干支の十二支に当てはめ、仏壇に安置されている位牌に縁のある固有周波数のおリンを配し、お参りする際にこれを鳴らすようにしてもよい。
【００１６】
本考案のリン本体の大きさは、同じ大きさでもよいし、相違する大きさとしてもよいが、相違する大きさの方がより木魚に近い音を発する。尚、同じ大きさであればリン本体の厚さを変更する等して、好ましくは音高を相違させる。また、相違する大きさとした場合には、通常は大きなリン本体を上部として載置することにより、室内の埃がリン具内部に入り難くなる。更に、連結手段によって連結された２つのリン本体は、上下を逆に載置できるように、一般のおリンと同様に座布団や円座等の基台に固定せずに単に載置させることにより、２つのリン本体の何れかを上部にすることができる。尚、２つのリン本体を合わせた外形をしているため、重心が高いために転倒しやすい。そのため、下部に配されるリン本体の基部の外周囲に当接してリン本体を支える円座が好ましい。
【００１７】
本考案の連結手段としては、第１のリン本体と第２のリン本体との開口部同士を対向させて各リン本体の基部同士を連結するものであればよく、更に、第１のリン本体と第２のリン本体との相対位置を変更する連結距離変更手段を備えたものであればよい。例えば、雄ネジ部材と雌ネジ部材とを溶接やボルトとナットとの螺合等で２つのリン本体の各々に固定し、各々に固定された雄ネジ部材と雌ネジ部材との連結距離を変更するようにしてもよいし、２つのリン本体の各々に連結軸を配し、この連結軸が入れ子式に２つの固定位置間を移動可能に固定されるものでもよい。
【００１８】
より好ましい連結距離変更手段としては、第１のリン本体と第２のリン本体との間隙を予め求められたスリット間隙に保持する間隙保持手段を備える。具体的な間隙保持手段としては、一方のリン本体を叩打した際に木魚様（スリットドラム様）の音を発するスリット間隙になるように２つのリン本体同士を固定するものであればよい。例えば、前述の雄ネジ部材と雌ネジ部材とで調節するものでは雌ネジ部材の底部に雄ネジの先端が接した状態をスリット間隙としたり、前述の入れ子式の連結軸を配したものでは、２つの固定位置の一方を間をスリット間隙とすることにより、一方のリン本体を叩打した際に木魚様（スリットドラム様）の音を発することになる。
【００１９】
尚、一方のリン本体を叩打した際に木魚様（スリットドラム様）の音を発するスリット間隙の距離はリン本体の大きさによって相違するため、組み合わせるリン本体に応じて調節すればよい。尚、内径が７２ｍｍと６４ｍｍとの相違する大きさのリン本体においては、スリット間隙は５ｍｍ程度であった。
【００２０】
本考案の好ましい態様としては、第１のリン本体と第２のリン本体との何れか又は両方の木魚様（スリットドラム様）の音を発する叩打位置に印を付している。これは、前述のように、一方のリン本体を叩打した際の衝撃音が反響してその間隙から抜ける際に「ポク」という音となって大きく響かせるためには、リン本体の開口部近傍の叩打による振動ではなく、叩打による衝撃音がリン本体同士の内部で互いに反響する必要がある。
【００２１】
従って、「ポク」という音を発させるためには、リン本体の開口部近傍ではなく、開口部が振動し難い基部近傍が澄んだよい音を発せさせる。このため、木魚様（スリットドラム様）の音を発する叩打位置に付される印としては、椀形状のリン本体であるため、中心軸を中心とした円状に付される。具体的には、内径の直径が７２ｍｍのリン本体では中心軸から約１５〜２０ｍｍ程度、内径の直径が６２ｍｍのリン本体では中心軸から１４〜１８ｍｍ程度の円周状領域を叩打すると澄んだ「ポク」と言う音が発せられた。
【実施例】
【００２２】
図１は本考案のリン具の一実施例の断面構成を示す説明図である。図２は図１のリン具の立設状態を示す断面図である。図３は図２のリン具の倒立状態を示す断面図である。図４は図１のリン具の斜視図である。図に示す通り、本実施例又はこれに類似のリン具１０は本考案の出願後に「Heaven's Bell(ヘブンズ ベル)」として販売する予定である。開口部１２と基部１３とを備えた椀形状の第１のリン本体１１と、これに相違する大きさの同じく開口部２２と基部２３とを備えた椀形状の第２のリン本体２１とを備える。
【００２３】
第１のリン本体１１には、連結手段としての第１の雄ネジ部１４が、取付け座金３１に遊貫されて、基部１３の頂部に穿設された孔１５を遊貫されている。リン本体１１内でゴム製の弾性ワッシャ１６と金属製のワッシャ１７を遊貫して、ナット１８で固定されている。取付け座金３１にはカバー３２が嵌合される。
【００２４】
第２のリン本体２１には、第１の雌ネジ部１４よりも短い第２の雄ネジ部２４が、取付け座金３３に遊貫されて、基部２３の頂部に穿設された孔２５を遊貫されている。リン本体２１内でゴム製の弾性ワッシャ２６と金属製のワッシャ２７を遊貫して、ナット２８で固定されており、連結手段としての雌ネジ部２９が第２の雄ネジ部２４に嵌合されている。取付け座金３３にはカバー３４が嵌合される。
【００２５】
雌ネジ部２９の全長は固定された第２の雄ネジ部２４のナット２８から先端までよりも長く、第１の雄ネジ部１４の先端部が螺合されて固定される。この第１の雄ネジ部１４と雌ネジ部２９とは連結距離変更手段として機能する。即ち、第１の雄ネジ部１４と雌ネジ部２９との螺合具合によって第１のリン本体１１と第２のリン本体２１との開口部１２，２２の縁間距離（即ち、間隙）が変更する。更に、第１の雄ネジ部１４と、雌ネジ部２９の底部（即ち、第２の雄ネジ部２４の先端）とが突き合った時点で２つのリン本体同士の間隙は最小となる。
【００２６】
本実施例においては、第１の雄ネジ部１４と、雌ネジ部２９の底部（即ち、第２の雄ネジ部２４の先端）とを突き合わせることを、間隙保持手段とした。具体的には、一方のリン本体を叩打した際に木魚様（スリットドラム様）の音を発するスリット間隙になるように２つのリン本体同士の雄ネジ部の突き合わせ距離としている。
【００２７】
図２及び図３に示す通り、一体とした第１のリン本体１１と第２のリン本体２１とは円座３０の上に載置される。図２では第１のリン本体１１が上部となった状態での載置であり、図３では図２をひっくり返し、第２のリン本体１１が上部となった状態での載置の状態を示す。
【００２８】
図２及び図３に示す通り、本実施例のリン具１０においては、叩打する位置がある程度決まっている。即ち、第１のリン本体１１及び第２のリン本体２１を叩打して、仏具のおリンのような「チーン」と言った音を鳴らすためには、各々のリン本体１１，２１の開口部の側方（各図の矢印Ａ，Ｂ）を叩打する。これにより、各々のリン本体１１，２１の開口部１２，２２は、叩打による振動によって「チーン」と澄んだ音を鳴らす。各々のリン本体１１，２１は各々固有周波数の音高を有しているため、各々の音高で鳴る。
【００２９】
特に、各々のリン本体１１，２１の互いの音高の周波数が完全５度の協和音程及び完全４度の協和音程の関係にあれば、協和して奏でる和音が完全に融け合い、更に奥行きのある美しい和音になる。例えば、表１のように、３／２，４／３，５／４等の単純な周波数の比で音律を作り出した十二音律を純正律に沿って定めて、個々に定まった周波数のリン本体を用意し、相違するリン本体１１，２１の互いの音高の周波数が完全５度の協和音程及び完全４度の協和音程の関係のものを選択して一体化することにより、協和して奏でる和音が完全に融け合い、更に奥行きのある美しい和音になる。
【００３０】
【表１】
0003132463.tif 000003
【００３１】
また、個々に定まった周波数のおリンを干支の十二支に当てはめ、仏壇に安置されている位牌に縁のある固有周波数のおリンを配し、お参りする際にこれを鳴らすようにしてもよい。
【００３２】
また、図４に示す通り、第１のリン本体１１の孔１５の周囲には孔１５を中心とすると４つの同心円４２が描かれており、その最外周の同心円４２ａ部分を一端に樹脂製の略球形の叩打部４１を備えた叩打部材としての叩打棒４０で叩打すると「ポク」という木魚様（スリットドラム様）の音を発する。また、第２のリン本体２１にも同様に孔２５の周囲には孔２５を中心とすると４つの同心円が描かれており、その最外周の同心円部分を叩打すると「ポク」という木魚様（スリットドラム様）の音を発する。
【００３３】
図１〜図４に示した本実施例の具体的な寸法を開示するならば、第１のリン本体１１は開口径の外径が７７ｍｍ、内径が７２ｍｍ、開口縁の肉厚が２．５ｍｍ、高さが４０ｍｍの椀形状であり、図には表れていないが基部１３の方が開口部１２よりも若干薄い。第２のリン本体２１は開口部の外径が６９ｍｍ、内径が６４ｍｍ、開口縁の肉厚が２．５ｍｍ、高さが３５ｍｍの椀形状であり、図には表れていないが基部２３の方が開口部２２よりも若干薄い。第１の雄ネジ部１４と、雌ネジ部２９の底部（即ち、第２の雄ネジ部２４の先端）とが突き合った時点で、２つの開口縁の間隙ｓ（即ち、スリット間隙）は５ｍｍとなった。
【００３４】
更に、叩打位置に付される印としての同心円４２ａは、第１のリン本体１１では、孔１５の中心から１５ｍｍの位置に形成され、この同心円から５ｍｍ程度外側までの領域を叩打すると澄んだ「ポク」と言う音が発せられた。また、第２のリン本体２１でも、孔２５の中心から１４ｍｍの位置に形成され、この同心円から５ｍｍ程度外側までの領域を叩打すると澄んだ「ポク」と言う音が発せられた。
【図面の簡単な説明】
【００３５】
【図１】本考案のリン具の一実施例の断面構成を示す説明図である。
【図２】図１のリン具の立設状態を示す断面図である。
【図３】図２のリン具の倒立状態を示す断面図である。
【図４】図１のリン具の斜視図である。
【符号の説明】
【００３６】
１０  …リン具、
１１  …第１のリン本体、
１２  …開口部、
１３  …基部、
１４  …第１の雄ネジ部、
１５  …孔、
１６  …弾性ワッシャ、
１７  …ワッシャ、
１８  …ナット、
２１  …第２のリン本体、
２２  …開口部、
２３  …基部、
２４  …第２の雄ネジ部、
２５  …孔、
２６  …弾性ワッシャ、
２７  …ワッシャ、
２８  …ナット、
２９  …雌ネジ部、
３０  …円座、
３１  …取付け座金、
３２  …カバー、
３３  …取付け座金、
３４  …カバー、
４２  …同心円、
４２ａ…最外周の同心円（叩打位置の印）
４０  …叩打棒（叩打部材）、
４１  …叩打部、
【図１】
0003132463.tif 000004
【図２】
0003132463.tif 000005
【図３】
0003132463.tif 000006
【図４】
0003132463.tif 000007